(57)【要約】【課題】抽出条件に基づいてデータを集計する際に、集計データの信頼性を高めることができる遊技場用データ管理装置を提供する。【解決手段】管理コンピュータ３で台データを表示する際に、検索条件としてアウトを含めと、管理コンピュータ３は、設定されたアウト以上となった時点の集計データを表示する。これにより、アウトを基準として集計データを比較することができるので、釘調整する際の信頼性を高めることができる。【選択図】  図４
2004222987.tif 000002
【特許請求の範囲】
【請求項１】
複数の遊技台から出力される信号に基づいて各遊技台のデータを集計するデータ集計手段と、抽出条件が与えられたときは当該抽出条件に基づいて前記データ集計手段が管理する集計データのうち抽出条件を満足する集計データを抽出する抽出手段とを備えた遊技場用データ管理装置において、
前記データ集計手段は、指定された複数日の集計データを当該複数日における最初の日から集計し、
前記抽出手段は、前記データ集計手段により集計された集計データを抽出して出力する際の抽出条件として稼働時間を示す稼働データを含むことが可能であることを特徴とする遊技場用データ管理装置。
【請求項２】
稼働データは、遊技者により遊技台に投資された累計の遊技媒体数または遊技者が遊技を行った累計の時間であることを特徴とする請求項１記載の遊技場用データ管理装置。
【請求項３】
稼働データは範囲指定可能であることを特徴とする請求項１または２記載の遊技場用データ管理装置。
【請求項４】
前記データ集計手段は、集計データを所定の単位時間毎または単位遊技媒体数毎に集計し、抽出条件として設定された範囲内に該当した時点における所定の単位時間または単位遊技媒体数が終了するまでの集計データを抽出することを特徴とする請求項１ないし３の何れかに記載の遊技場用データ管理装置。
【発明の詳細な説明】
【０００１】
【発明の属する技術分野】
本発明は、複数の遊技台から出力される信号に基づいて各遊技台の集計データを集計する遊技場用データ管理装置に関する。
【０００２】
【発明が解決しようとする課題】
従来から、遊技台の釘調整を行う場合は、遊技台のデータを複数日分集計し、その集計データを出力する管理コンピュータから情報を入手し、その情報を参照しながら釘調整を行うようにしている。また、抽出条件に基づいて集計データを出力する管理コンピュータも特公平６−１４９８６号公報など、種々のものが提案されている。
【０００３】
しかしながら、この種の管理コンピュータがデータを抽出する条件としては、期間を指定するだけにとどまっていたため、指定された期間において、データを出力する際に、稼動が一定値以上無い日の台データも抽出対象となっていた。このため、抽出された集計データは、稼動が一定値以上無い場合は、比較するための条件が満たされておらず、集計データの信頼性が低いという問題がある。
【０００４】
一方、釘調整を行った後、稼動が多い台に関しては、開店時の釘間隔と閉店時の釘間隔に若干の誤差を生じてしまうことがよく見られる。このため、稼働があり過ぎた場合でも、意図した釘調整における集計データとは認識しづらくなる。つまり、期間を指定するだけでは、上記のような集計データとして信頼性の低いデータも指定期間内の平均値データとして抽出されてしまう虞がある。
【０００５】
同様に、パチスロ機においても、最近のスランプの激しい機種特性の台は、日々の出玉率だけではモードの調整が難しく、長期的な出玉率、台粗利による調整が必要となるが、単に抽出条件として日数だけで実行することは困難である。
【０００６】
本発明は上記事情に鑑みてなされたものであり、その目的は、抽出条件に基づいてデータを集計する際に、集計データの信頼性を高めることができる遊技場用データ管理装置を提供することにある。
【０００７】
【課題を解決するための手段】
本発明は、複数の遊技台から出力される信号に基づいて各遊技台のデータを集計するデータ集計手段と、抽出条件が与えられたときは当該抽出条件に基づいて前記データ集計手段が管理する集計データのうち抽出条件を満足する集計データを抽出する抽出手段とを備えた遊技場用データ管理装置において、前記データ集計手段は、指定された複数日の集計データを当該複数日における最初の日から集計し、前記抽出手段は、前記データ集計手段により集計された集計データを抽出して出力する際の抽出条件として稼働時間を示す稼働データを含むことが可能であるものである（請求項１）。
【０００８】
このような構成によれば、データ集計手段は、複数の遊技台から出力される信号に基づいて各遊技台のデータを集計しており、所望の集計データを抽出したい場合は、抽出手段に抽出条件を与える。すると、抽出手段は、データ集計手段が管理する集計データのうち抽出条件を満足する集計データを抽出するので、所望の集計データを得ることができる。
【０００９】
ここで、各遊技台の集計データを比較するには、各遊技台の稼働時間が揃っていることが望ましいことから、稼働時間を示す稼働データを与える。これにより、抽出手段は、抽出条件として稼働データを含んで集計データを抽出するようになるので、集計データの稼働時間を揃えることができ、集計データの信頼性を高めることができる。
【００１０】
上記構成において、稼働データは、遊技者により遊技台に投資された累計の遊技媒体数または遊技者が遊技を行った累計の時間であるようにしてもよい（請求項２）。
このような構成によれば、遊技者により遊技台に投資された累計の遊技媒体数または遊技者が遊技を行った累計の時間でもって、集計データを抽出することができる。
【００１１】
また、稼働データは範囲指定可能であるようにしてもよい（請求項３）。
このような構成によれば、範囲指定された稼働データでもって、集計データを抽出することができる。
【００１２】
また、前記データ集計手段は、集計データを所定の単位時間毎または単位遊技媒体数毎に集計し、抽出条件として設定された範囲内に該当した時点における所定の単位時間または単位遊技媒体数が終了するまでの集計データを抽出するようにしてもよい（請求項４）。
このような構成によれば、集計データを比較する際に、定時或は定量を基準として揃えることができる。
【００１３】
【発明の実施の形態】
以下、本発明の一実施の形態を図面に基づいて説明する。
図１は、全体の構成を概略的に示している。この図１において、島にはパチンコ機及びパチスロ機などの遊技台１が設置されていると共に、各遊技台１に対応して端末機２が設置されており、端末機２は、各遊技台１から出力される信号を管理コンピュータ（データ集計手段及び抽出手段に相当）３に出力する。管理コンピュータ３は、端末機２から出力される信号に基づいて各遊技台１の台データを管理している。つまり、パチンコ機からは、アウト信号、セーフ信号、入賞信号、スタート信号、特賞信号、確変中信号等が出力されるので、それらの信号に基づいて各パチンコ機の稼働状態を管理することができる。また、パチスロ機からは、アウト信号、セーフ信号、ゲーム信号、フラグ信号（ビッグボーナスが成立したことを示す信号）、ＢＢ（ビッグボーナス）信号、ＣＴ（チャレンジタイム）信号等が出力されるので、それらの信号に基づいて各パチスロ機の稼働状態を管理することができる。
【００１４】
次に上記構成の作用について説明する。
図２は管理コンピュータ３の台データ集計動作を示すフローチャートである。この図２において、管理コンピュータ３は、抽出期間が入力されるのを監視している（Ｓ１）。
【００１５】
さて、管理者が管理コンピュータ３に対して、所望の検出条件に加えて抽出期間を入力すると（Ｓ１：ＹＥＳ）、検索条件に稼働データが含まれるかを判断する（Ｓ２）。この稼働データとは、後述するように遊技台１の稼働を示すデータで、積算のアウトまたは積算の稼働時間のことである。このとき、検索条件に稼動データが含まれていないときは（Ｓ２：ＮＯ）、抽出期間における台データを集計して出力する（Ｓ１０）。これにより、図３に示すように抽出期間における各台データの合計である集計データが表示される。この集計データとしては、アウト、差（玉）、出玉率、特賞１、ベース、スタート、Ｔ１Ｙ、最大ＭＹ、台売上、機械割が表示されていると共に、各集計データの平均が表示されている。この場合、出玉率は累計セーフ玉数／累計アウト玉数であり、ベースは特賞状態或は確率変動状態にない通常状態での出玉率であり、スタートは電気役物の単位アウト玉数当りの平均スタート回数であり、Ｔ１Ｙは特賞状態中における差玉数であり、最大ＭＹは遊技客の最大手持ち玉数であり、機械割は（売上玉数−差玉数）／売上玉数である。
従って、管理者は、表示された集計データに基づいて各遊技台１の稼働状態を判断して釘調整を行うことができる。
【００１６】
ところで、図３に示すように遊技台１によっては所定の抽出期間における稼働時間が短いことがあり、このような遊技台１の台データの信頼性は低く、釘調整を正しく行うことができない虞がある。
そこで、本実施の形態では、抽出条件として検索条件を入力可能とした。この検索条件とは検索種別及び検索範囲である。検索種別とは、積算のアウトまたは積算の稼働時間であり、稼働時間とは、アウトの場合は抽出するアウト範囲、稼働時間の場合は抽出する時間範囲である。また、抽出区分とは、検索する際の集計データの抽出単位で、例えば６０分が抽出単位となる。
【００１７】
さて、管理コンピュータ３は、図２に示すように検索条件に稼働データが含まれていた場合は（Ｓ２：ＹＥＳ）、稼働データはアウトかを判断する（Ｓ３）。このとき、稼働データとしてアウトが設定されている場合は（Ｓ３：ＹＥＳ）、アウトの範囲入力がされたことを確認すると共に（Ｓ４：ＹＥＳ）、時間指定をＮ分単位で設定されていることを確認してから（Ｓ５：ＹＥＳ）、期間内のＮ分毎の累計データで、累計アウトが設定範囲内に到達した時点のデータを抽出して出力する（Ｓ６）。
【００１８】
一方、稼働データとして稼働時間が設定されている場合は（Ｓ３：ＮＯ）、稼働時間アウトの範囲入力がされたことを確認すると共に（Ｓ７：ＹＥＳ）、時間指定をＮ分単位で設定されていることを確認してから（Ｓ８：ＹＥＳ）、期間内のＮ分毎の累計データで、累計アウトが設定範囲内に到達した時点のデータを抽出して出力する（Ｓ９）。
【００１９】
従って、図４に示すように検索条件としてアウト３０００（アウト玉が３００００個）以上が設定され且つ抽出区分として６０分おきが設定されている場合は、アウトが３０００（×１０）以上となった時点におけるデータが表示されるので、それらのデータを比較することにより釘調整の参考とすることができる。
【００２０】
具体的には、管理コンピュータ３は、電源投入時にデータリセットを自動的に実行、または管理者によりデータリセット操作が行われるので、営業開始時の例えば９時においては全ての遊技台の全てのデータはリセットされている。
営業開始となって遊技者が遊技を開始すると、データが順に更新される。この場合、管理コンピュータ３は、実際には例えば５分毎の積算データを営業終了まで順に記憶するようになっている。
そして、営業終了時となったときは、上述したように抽出区分が６０分おきとなっていることから、６０分毎の積算データに変換する。
【００２１】
図６は、例えば５５６番台の定時データ（６０分毎の積算）例を示している。この図６において、管理コンピュータ３は、アウトが３０００を上回った時点における集計データを抽出データとして判断し、それを５５６番台の集計データとする。つまり、１８時から１９時の間にアウトが３０００を上回るようになるので、その時点における集計データを５５６番の抽出データとするのである。
【００２２】
ところで、稼働率の低い遊技台１では、１日の営業が終了するにしても、アウトが抽出条件に達しないことがあり、検索条件の日付としてこのような日付を設定した場合は、図５に示すようにアウトが検索条件に達していない遊技台１に対応して、「アウトが基準に達していないため表示不可」というメッセージを表示する。従って、管理者は、このような表示がされたときは、各遊技台１の集計データに基づいて稼働状態を適切に比較することができないとして、検索条件の日数を増加する。つまり、検索対象の日付として例えば一日付加して設定する。
【００２３】
すると、管理コンピュータ３は、アウトが検索条件に達していない遊技台１に関しては、付加された日付を含んで再度検索する。つまり、最初の検索対象日付である９月３０日において図７に示すようにアウトが検索条件に達していない５３７番台に関して、管理コンピュータ３は、図８に示す１０月１日の定時データに９月３０日の最終データを加算し、それを検索対象データとする。
【００２４】
図９は、５３７番台における１０月１日のデータに９月３０日の最終データを加算したデータを示している。この図９において、１９時から２０時までの間にアウトが３０００を上回るようになるので、このときの定時データが５３７番台の最終の集計データとなる。
【００２５】
従って、抽出条件の日付として９月３０日及び１０月１日を設定することにより、２日間にわたる積算の定時データとしてアウトが３０００（アウト玉が３００００個）を上回った時点における積算の定時データを抽出することができるので、各遊技台１の定時データを抽出して比較することにより釘調整を適切に実行することができる。この場合、検索条件の日付として２日間を設定するにしても、アウトが３０００に達していない遊技台が有る場合は、さらに検索条件の日付を増加する。
【００２６】
一方、上述したような積算のアウトではなく、積算の稼働時間で検索する場合は、検索条件として、時間を設定すると共に、検索する時間範囲を設定する。
図１０は、検索条件として稼働時間を設定し且つ抽出区分として６０分を設定した際の５５６番台に関する積算の定時データの一例を示している。この図１０において、管理コンピュータ３は、稼働時間でもって定時データを管理する。この稼働時間は、アウト玉が発生したときは稼働の開始と判断し、例えば１分間以内にアウトが発生しないときは、稼働の終了と判断するようになっている。この場合、基本的には稼働時間とアウトとは比例関係にあることから、積算のアウトと同等であるとみなすことができる。
【００２７】
また、抽出区分として、時間（定時データ）に代えてアウト（定量データ）を設定した場合は、アウトが３０００を上回った時点における定量データを抽出することになる。
図１１は、抽出区分としてアウトの３００（アウト玉が３０００個）を設定した際のアウトに対応したデータ例を示している。この図１１において、管理コンピュータ３は、定量データとしてアウトが３０００となった時点におけるデータを集計データとして抽出するようになる。
【００２８】
このような実施の形態によれば、遊技台１の集計データを抽出する条件として、稼働時間を示す積算のアウト或は積算の稼働時間を含むようにしたので、同一の稼働時間でもって各遊技台１の集計データを比較することができ、一日の集計データを比較することにより釘調整を実行する場合に比較して、釘調整を適切に行うことができる。
【００２９】
しかも、検索条件の日付が複数日に設定されている場合は、その複数日にわたる積算のアウト或は積算の稼働時間が検索条件に達した時点のデータを抽出するようにしたので、一日の稼働が少ない遊技台１であっても、他の遊技台１と比較することができ、釘調整を適切に行うことができる。
【００３０】
さらに、検出条件として所定の時間単位或はアウト単位で比較するようにしたので、各遊技台１の集計データを比較する際に、定時或は定量を基準として揃えることができる。
加えて、抽出区分として、定時或は定量の何れでも可能としたので、集計データを多面的に判断することができる。
【００３１】
本発明は、上記実施の形態に限定されることなく、本発明をパチスロ機に適用し、例えば７０００ゲーム以上での出玉率、ビッグボーナス確率、機械割数などを求めるようにしてもよい。
【００３２】
【発明の効果】
本発明は以上の説明から明らかなように、指定された複数日の集計データを当該複数日における最初の日から集計し、集計された集計データを抽出して出力する際の抽出条件として稼働時間を示す稼働データを含むことが可能であるようにしたので、集計データを集計する際に、データの信頼性を高めることができるという優れた効果を奏する。
【図面の簡単な説明】
【図１】本発明の一実施の形態における全体構成を示す図
【図２】管理コンピュータの動作を示すフローチャート
【図３】管理コンピュータが表示するデータの一覧例
【図４】アウトを抽出条件に加えた図３相当図
【図５】抽出条件を満たさない台を示す図４相当図
【図６】１台の遊技台における定時データ例を示す図
【図７】１台の遊技台における１日目の定時データ例を示す図
【図８】１台の遊技台における２日目の定時データ例を示す図
【図９】１台の遊技台における２日間にわたる定時データ例を示す図
【図１０】稼働時間で管理した定時データ例を示す図
【図１１】アウトで管理した定量データ例を示す図
【符号の説明】
１は遊技台、２は端末機、３は管理コンピュータ（データ集計手段、抽出手段）である。
【図１】
2004222987.tif 000003
【図２】
2004222987.tif 000004
【図３】
2004222987.tif 000005
【図４】
2004222987.tif 000006
【図５】
2004222987.tif 000007
【図６】
2004222987.tif 000008
【図７】
2004222987.tif 000009
【図８】
2004222987.tif 000010
【図９】
2004222987.tif 000011
【図１０】
2004222987.tif 000012
【図１１】
2004222987.tif 000013